【手続補正書】
【提出日】平成28年1月8日(2016.1.8)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）によるワイヤレス通信のための方法であって、
第１の無線アクセス技術（ＲＡＴ）を介して通信するために第１のチャネルが使用可能でないことを検出することと、ここで、前記第１のチャネルは、第２のＲＡＴによる前記第１のチャネル上での干渉するアクティビティが原因で、または前記第２のＲＡＴに対して前記第１のチャネルによって引き起こされる干渉するアクティビティが原因で、前記第１のＲＡＴを介して通信するために使用可能でない、
ネットワークノードから、第２のチャネルから前記第１のチャネルにリダイレクトするメッセージを受信することと、
前記第１のチャネルが、前記第１のＲＡＴのために使用可能でない１つまたは複数のブロックされたチャネルのセット中にあると決定することと、
前記決定に応答して、１つまたは複数のアクションをとることと、
を備える、方法。
【請求項２】
前記ＵＥが、少なくとも前記第１のＲＡＴと前記第２のＲＡＴとを介して通信することが可能である、請求項１に記載の方法。
【請求項３】
前記第２のチャネルが、前記第２のＲＡＴを介して通信するために使用される、請求項２に記載の方法。
【請求項４】
前記１つまたは複数のアクションが、前記第２のチャネルから前記第１のチャネルへの実際のリダイレクションを回避する１つまたは複数のアクションを含み、１つまたは複数のブロックされたチャネルの前記セットに前記第２のチャネルを追加すること、または前記第２のチャネルから前記第１のチャネルにリダイレクトする前記メッセージをリダイレクションなしの接続解放コマンドとして扱うこと、または前記第２のチャネルにキャンプオンすること、を含む、請求項１に記載の方法。
【請求項５】
前記第１のＲＡＴがロングタームエボリューション（ＬＴＥ）を備える、請求項１に記載の方法。
【請求項６】
前記第１のチャネルが前記第１のＲＡＴを介して通信するために使用可能でないことを検出することが、前記第１のチャネルが前記第１のＲＡＴを介して通信するために使用可能でないことを示すフラグが設定されたことを決定することを含む、請求項１に記載の方法。
【請求項７】
前記第１のチャネルが使用可能でないという前記検出に基づいて、１つまたは複数のブロックされたチャネルの前記セットに前記第１のチャネルを追加することをさらに備える、請求項１に記載の方法。
【請求項８】
前記第２のＲＡＴが全地球測位システム（ＧＰＳ）であり、
前記第１のチャネルのアクティビティによって影響を及ぼされ得るか、または前記第１のチャネルのアクティビティに影響を及ぼし得るＧＰＳチャネル上でのアクティビティが原因で、前記第１のチャネルが前記第１のＲＡＴを介して通信するために使用可能でない、請求項１に記載の方法。
【請求項９】
前記第２のチャネルが、構成可能な期間の間１つまたは複数のブロックされたチャネルの前記セット中に維持される、請求項４に記載の方法。
【請求項１０】
前記構成可能な期間の後に１つまたは複数のブロックされたチャネルの前記セットから前記第２のチャネルを除去することをさらに備える、請求項９に記載の方法。
【請求項１１】
第３のチャネル上の前記第１のＲＡＴのうちの少なくとも１つを介してまたは前記第２のＲＡＴを介してサービスを探索することをさらに備える、請求項４に記載の方法。
【請求項１２】
前記第２のチャネルから前記第１のチャネルにリダイレクトする、反復されたメッセージを受信したこと、または１つまたは複数のブロックされたチャネルの前記セットから前記第１のチャネルを除去したことに応答して、１つまたは複数のブロックされたチャネルの前記セットに前記第２のチャネルを追加することと、前記除去した後、次に受信される、前記第２のチャネルから前記第１のチャネルにリダイレクトするメッセージに従うこととをさらに備える、請求項４に記載の方法。
【請求項１３】
前記第２のチャネルは、前記第２のチャネルから前記第１のチャネルにリダイレクトする所定の数のメッセージが所定の間隔内で発生する場合、１つまたは複数のブロックされたチャネルの前記セットに追加される、請求項１２に記載の方法。
【請求項１４】
メッセージの前記所定の数が、前記所定の間隔内のメッセージのカウントごとに変化する、請求項１３に記載の方法。
【請求項１５】
ワイヤレス通信のための装置であって、
受信機と、
請求項１から１４のうちのいずれか１項のステップを行うように構成された処理システムと
を備える、装置。
【請求項１６】
ユーザ機器（ＵＥ）によるワイヤレス通信のためのコンピュータプログラム製品であって、
請求項１から１４のうちのいずれか１項のステップを行うようにアレンジされた命令を有するコンピュータ可読媒体を備える、コンピュータプログラム製品。
【手続補正２】
【補正対象書類名】明細書
【補正対象項目名】００７６
【補正方法】変更
【補正の内容】
【００７６】
[0084]本開示についての以上の説明は、いかなる当業者も本開示を作製または使用することができるように与えられているものである。本開示への様々な修正は当業者には容易に明らかとなり、本明細書で定義された一般原理は、本開示の趣旨または範囲から逸脱することなく他の変形形態に適用され得る。したがって、本開示は、本明細書で説明された例および設計に限定されるものではなく、本明細書で開示された原理および新規の特徴に合致する最も広い範囲を与えられるべきである。
以下に、本願出願の当初の特許請求の範囲に記載された発明を付記する。
[Ｃ１]ユーザ機器（ＵＥ）によるワイヤレス通信のための方法であって、
第１の無線アクセス技術（ＲＡＴ）を介して通信するために第１のチャネルが使用可能でないことを検出することと、
第２のチャネルから前記第１のチャネルにリダイレクトするメッセージを受信することと、
前記第１のチャネルが、前記第１のＲＡＴのために使用可能でない１つまたは複数のブロックされたチャネルのセット中にあると決定することと、
前記決定に応答して、１つまたは複数のアクションをとることと、
を備える、方法。
[Ｃ２]前記ＵＥが、少なくとも前記第１のＲＡＴと第２のＲＡＴとを介して通信することが可能である、Ｃ１に記載の方法。
[Ｃ３]前記第２のチャネルが、第２のＲＡＴを介して通信するために使用される、Ｃ２に記載の方法。
[Ｃ４]前記１つまたは複数のアクションが、前記第２のチャネルから前記第１のチャネルへの実際のリダイレクションを回避する１つまたは複数のアクションを含む、Ｃ１に記載の方法。
[Ｃ５]前記第１のＲＡＴがロングタームエボリューション（ＬＴＥ）を備える、Ｃ１に記載の方法。
[Ｃ６]前記第１のチャネルが前記第１のＲＡＴを介して通信するために使用可能でないことを検出することが、前記第１のチャネルが前記第１のＲＡＴを介して通信するために使用可能でないことを示すフラグが設定されたことを決定することを含む、Ｃ１に記載の方法。
[Ｃ７]前記第１のチャネルが使用可能でないという前記検出に基づいて、１つまたは複数のブロックされたチャネルの前記セットに前記第１のチャネルを追加することをさらに備える、Ｃ１に記載の方法。
[Ｃ８]前記第１のチャネルが前記第１のＲＡＴのために使用可能でないことを検出することは、前記第１のチャネル上で前記第１のＲＡＴを使用してネットワークにアクセスしようと試みて失敗することを含む、Ｃ１に記載の方法。
[Ｃ９]前記ＵＥが、第２のＲＡＴを介して通信することが可能であり、
前記第２のＲＡＴによる前記第１のチャネル上での干渉するアクティビティが原因で、前記第１のチャネルが前記第１のＲＡＴを介して通信するために使用可能でない、Ｃ１に記載の方法。
[Ｃ１０]前記第１のチャネルのアクティビティによって影響を及ぼされ得るか、または前記第１のチャネルのアクティビティに影響を及ぼし得る第３のチャネル上での全地球測位システム（ＧＰＳ）アクティビティが原因で、前記第１のチャネルが前記第１のＲＡＴを介して通信するために使用可能でない、Ｃ１に記載の方法。
[Ｃ１１]前記１つまたは複数のアクションが、１つまたは複数のブロックされたチャネルの前記セットに前記第２のチャネルを追加することを備える、Ｃ１に記載の方法。
[Ｃ１２]前記第２のチャネルが、構成可能な期間の間１つまたは複数のブロックされたチャネルの前記セット中に維持される、Ｃ１１に記載の方法。
[Ｃ１３]前記構成可能な期間の後に１つまたは複数のブロックされたチャネルの前記セットから前記第２のチャネルを除去することをさらに備える、Ｃ１２に記載の方法。
[Ｃ１４]第３のチャネル上の前記第１のＲＡＴのうちの少なくとも１つを介してまたは第２のＲＡＴを介してサービスを探索することをさらに備える、Ｃ１１に記載の方法。
[Ｃ１５]前記１つまたは複数のアクションをとることが、前記第２のチャネルから前記第１のチャネルにリダイレクトする前記メッセージをリダイレクションなしの接続解放コマンドとして扱うことを備える、Ｃ１に記載の方法。
[Ｃ１６]前記１つまたは複数のアクションをとることが、前記第２のチャネルにキャンプオンすることをさらに備える、Ｃ１５に記載の方法。
[Ｃ１７]前記第２のチャネルから前記第１のチャネルにリダイレクトするために反復されたメッセージを受信したことに応答して、１つまたは複数のブロックされたチャネルの前記セットに前記第２のチャネルを追加することをさらに備える、Ｃ１５に記載の方法。
[Ｃ１８]前記第２のチャネルは、前記第２のチャネルから前記第１のチャネルにリダイレクトする所定の数のメッセージが所定の間隔内で発生する場合、１つまたは複数のブロックされたチャネルの前記セットに追加される、Ｃ１７に記載の方法。
[Ｃ１９]メッセージの前記所定の数が、前記所定の間隔内のメッセージのカウントごとに変化する、Ｃ１８に記載の方法。
[Ｃ２０]１つまたは複数のブロックされたチャネルの前記セットから前記第１のチャネルを除去することと、
前記除去の後に、前記第２のチャネルから前記第１のチャネルにリダイレクトするために、その後受信したメッセージに従うことと
をさらに備える、Ｃ１５に記載の方法。
[Ｃ２１]ユーザ機器（ＵＥ）によるワイヤレス通信のための方法であって、
第１の無線アクセス技術（ＲＡＴ）を介して通信するために第１のチャネルが使用可能でないことを検出することと、
前記ＵＥが前記第１のチャネルをもはやサポートしないという指示をネットワークに与えることと、
を備える、方法。
[Ｃ２２]第２のチャネル上で通信することに遷移することをさらに備える、Ｃ２１に記載の方法。
[Ｃ２３]前記指示が、前記第２のチャネル上で与えられる、Ｃ２２に記載の方法。
[Ｃ２４]前記遷移することが、前記第２のチャネル上で前記第１のＲＡＴを介して通信することに遷移することを備える、Ｃ２２に記載の方法。
[Ｃ２５]前記第２のチャネルが、第２のＲＡＴを介して通信するために前記ＵＥによって使用される、Ｃ２２に記載の方法。
[Ｃ２６]前記第１のＲＡＴがロングタームエボリューション（ＬＴＥ）を備える、Ｃ２１に記載の方法。
[Ｃ２７]前記指示が、能力更新を介して与えられる、Ｃ２１に記載の方法。
[Ｃ２８]前記能力更新が、前記ネットワークに、前記ＵＥの能力について前記ＵＥに照会することを行わせる、Ｃ２７に記載の方法。
[Ｃ２９]前記第１のチャネルが前記第１のＲＡＴを介して通信するためにもう一度使用可能であることを検出することと、
前記ＵＥが前記第１のチャネルをサポートするという別の指示を前記ネットワークに与えることと、
をさらに備える、Ｃ２１に記載の方法。
[Ｃ３０]前記他の指示が、能力更新を介して与えられる、Ｃ２９に記載の方法。
[Ｃ３１]ワイヤレス通信のための装置であって、
受信機と、
第１の無線アクセス技術（ＲＡＴ）を介して通信するために第１のチャネルが使用可能でないことを検出すること、ここで、前記受信機が、第２のチャネルから前記第１のチャネルにリダイレクトするメッセージを受信するように構成される、と、
前記第１のチャネルが前記第１のＲＡＴのために使用可能でない１つまたは複数のブロックされたチャネルのセット中にあると決定することと、
前記決定に応答して、１つまたは複数のアクションをとることと、
を行うように構成された処理システムと
を備える、装置。
[Ｃ３２]前記装置が、少なくとも前記第１のＲＡＴと第２のＲＡＴとを介して通信することが可能である、Ｃ３１に記載の装置。
[Ｃ３３]前記第２のチャネルが、第２のＲＡＴを介して通信するために使用される、Ｃ３２に記載の装置。
[Ｃ３４]前記１つまたは複数のアクションが、前記第２のチャネルから前記第１のチャネルへの実際のリダイレクションを回避する１つまたは複数のアクションを含む、Ｃ３１に記載の装置。
[Ｃ３５]前記第１のＲＡＴがロングタームエボリューション（ＬＴＥ）を備える、Ｃ３１に記載の装置。
[Ｃ３６]前記処理システムは、前記第１のチャネルが前記第１のＲＡＴを介して通信するために使用可能でないことを示すフラグが設定されたことを決定することによって、前記第１のチャネルが前記第１のＲＡＴを介して通信するために使用可能でないことを検出するように構成された、Ｃ３１に記載の装置。
[Ｃ３７]前記処理システムが、前記第１のチャネルが使用可能でないという前記検出に基づいて１つまたは複数のブロックされたチャネルの前記セットに前記第１のチャネルを追加するようにさらに構成された、Ｃ３１に記載の装置。
[Ｃ３８]前記処理システムが、前記第１のチャネル上で前記第１のＲＡＴを使用してネットワークにアクセスしようと試みて失敗することによって、前記第１のチャネルが前記第１のＲＡＴのために使用可能でないことを検出するように構成された、Ｃ３１に記載の装置。
[Ｃ３９]前記装置が、第２のＲＡＴを介して通信することが可能であり、
前記第２のＲＡＴによる前記第１のチャネル上での干渉するアクティビティが原因で、前記第１のチャネルが前記第１のＲＡＴを介して通信するために使用可能でない、Ｃ３１に記載の装置。
[Ｃ４０]前記第１のチャネルのアクティビティによって影響を及ぼされ得るか、または前記第１のチャネルのアクティビティに影響を及ぼし得る第３のチャネル上での全地球測位システム（ＧＰＳ）アクティビティが原因で、前記第１のチャネルが前記第１のＲＡＴを介して通信するために使用可能でない、Ｃ３１に記載の装置。
[Ｃ４１]前記１つまたは複数のアクションが、１つまたは複数のブロックされたチャネルの前記セットに前記第２のチャネルを追加することを備える、Ｃ３１に記載の装置。
[Ｃ４２]前記第２のチャネルが、構成可能な期間の間１つまたは複数のブロックされたチャネルの前記セット中に維持される、Ｃ４１に記載の装置。
[Ｃ４３]前記処理システムが、前記構成可能な期間の後に１つまたは複数のブロックされたチャネルの前記セットから前記第２のチャネルを除去するようにさらに構成された、Ｃ４２に記載の装置。
[Ｃ４４]前記処理システムが、第３のチャネル上の前記第１のＲＡＴのうちの少なくとも１つを介してまたは第２のＲＡＴを介してサービスを探索するようにさらに構成された、Ｃ４１に記載の装置。
[Ｃ４５]前記処理システムが、前記第２のチャネルから前記第１のチャネルにリダイレクトするための前記メッセージを、リダイレクションなしの接続解放コマンドとして扱うことによって、前記１つまたは複数のアクションをとるように構成された、Ｃ３１に記載の装置。
[Ｃ４６]前記処理システムが、前記第２のチャネルにキャンプオンすることによって、前記１つまたは複数のアクションをとるように構成された、Ｃ４５に記載の装置。
[Ｃ４７]前記処理システムが、前記第２のチャネルから前記第１のチャネルにリダイレクトするための反復されたメッセージを前記受信機が受信したことに応答して、１つまたは複数のブロックされたチャネルの前記セットに前記第２のチャネルを追加するようにさらに構成された、Ｃ４５に記載の装置。
[Ｃ４８]前記第２のチャネルは、前記第２のチャネルから前記第１のチャネルにリダイレクトするための所定の数のメッセージが所定の間隔内で前記受信機によって受信される場合、１つまたは複数のブロックされたチャネルの前記セットに追加される、Ｃ４７に記載の装置。
[Ｃ４９]メッセージの前記所定の数が、前記所定の間隔内のメッセージのカウントごとに変化する、Ｃ４８に記載の装置。
[Ｃ５０]前記処理システムが、
１つまたは複数のブロックされたチャネルの前記セットから前記第１のチャネルを除去することと、
前記除去の後に、前記第２のチャネルから前記第１のチャネルにリダイレクトするためにその後受信したメッセージに従うことと、
を行うようにさらに構成された、Ｃ４５に記載の装置。
[Ｃ５１]ワイヤレス通信のための装置であって、
第１のチャネルが第１の無線アクセス技術（ＲＡＴ）を介して通信するために使用可能でないことを検出するように構成された処理システムと、
前記装置が前記第１のチャネルをもはやサポートしないという指示をネットワークに与えるように構成された送信機と、
を備える、装置。
[Ｃ５２]前記処理システムが、第２のチャネル上で通信することに遷移するようにさらに構成された、Ｃ５１に記載の装置。
[Ｃ５３]前記指示が、前記第２のチャネル上で与えられる、Ｃ５２に記載の装置。
[Ｃ５４]前記処理システムが、前記第２のチャネル上で前記第１のＲＡＴを介して通信することに遷移することによって遷移するように構成された、Ｃ５２に記載の装置。
[Ｃ５５]前記第２のチャネルが、第２のＲＡＴを介して通信するために前記装置によって使用される、Ｃ５２に記載の装置。
[Ｃ５６]前記第１のＲＡＴがロングタームエボリューション（ＬＴＥ）を備える、Ｃ５１に記載の装置。
[Ｃ５７]前記指示が、能力更新を介して与えられる、Ｃ５１に記載の装置。
[Ｃ５８]前記能力更新が、前記装置の能力について前記装置に照会することを前記ネットワークに行わせる、Ｃ５７に記載の装置。
[Ｃ５９]前記処理システムは、前記第１のチャネルが前記第１のＲＡＴを介して通信するためにもう一度使用可能であることを検出するようにさらに構成され、前記送信機は、前記装置が前記第１のチャネルをサポートするという別の指示を前記ネットワークに与えるように構成された、Ｃ５１に記載の装置。
[Ｃ６０]前記他の指示が、能力更新を介して与えられる、Ｃ５９に記載の装置。
[Ｃ６１]ワイヤレス通信のための装置であって、
第１のチャネルが第１の無線アクセス技術（ＲＡＴ）を介して通信するために使用可能でないことを検出するための手段と、
第２のチャネルから前記第１のチャネルにリダイレクトするためにメッセージを受信するための手段と、
前記第１のチャネルが前記第１のＲＡＴのために使用可能でない１つまたは複数のブロックされたチャネルのセット中にあると決定するための手段と、
前記決定に応答して、１つまたは複数のアクションをとるための手段と、
を備える、装置。
[Ｃ６２]ワイヤレス通信のための装置であって、
第１のチャネルが第１の無線アクセス技術（ＲＡＴ）を介して通信するために使用可能でないことを検出するための手段と、
前記装置が前記第１のチャネルをもはやサポートしないという指示をネットワークに与えるための手段と、
を備える、装置。
[Ｃ６３]ユーザ機器（ＵＥ）によるワイヤレス通信のためのコンピュータプログラム製品であって、
第１のチャネルが第１の無線アクセス技術（ＲＡＴ）を介して通信するために使用可能でないことを検出することと、
第２のチャネルから前記第１のチャネルにリダイレクトするためにメッセージを受信することと、
前記第１のチャネルが前記第１のＲＡＴのために使用可能でない１つまたは複数のブロックされたチャネルのセット中にあると決定することと、
前記決定に応答して、１つまたは複数のアクションをとることと
を行うように実行可能な命令を有するコンピュータ可読媒体を備える、コンピュータプログラム製品。
[Ｃ６４]ユーザ機器（ＵＥ）によるワイヤレス通信のためのコンピュータプログラム製品であって、
第１のチャネルが第１の無線アクセス技術（ＲＡＴ）を介して通信するために使用可能でないことを検出することと、
前記ＵＥが前記第１のチャネルをもはやサポートしないという指示をネットワークに与えることと
を行うように実行可能な命令を有するコンピュータ可読媒体を備える、コンピュータプログラム製品。